(57)【要約】【課題】  薬剤収容室への流入路と流出路との開閉を、簡単な操作によって同時に行うことを可能にして、原水に混合用薬剤が混入した状態をスムーズに切替えることを可能にする。【解決手段】  上流側流路１３と下流側流路１４との間に介在して設けられ、薬剤収容室１５に収容された混合用薬剤を原水に混合しつつ、原水と共に流出させる混合用アタッチメント１０であって、同心状に配置された内側円筒体１９と外側円筒体２０とを有しており、内側円筒体１９の内側を原水流路とすると共に、内側円筒体１９と外側円筒体２０との間の中空部を、両端を上流側閉塞部２２と下流側閉塞部２３とで覆って薬剤収容室１５とし、薬剤収容室１５への流入路１６を上流側閉塞部２２に、薬剤収容室１５からの流出路１７を下流側閉塞部２３に各々形成し、内側円筒体１９に対する外側円筒体２０の回転操作によって、流入路１６及び流出路１７の開閉を行う。【選択図】      図２
2005152055.tif 000002
【特許請求の範囲】
【請求項１】
上流側流路と下流側流路との間に介在して設けられ、薬剤収容室に収容された混合用薬剤を上流側流路から流入した原水に混合しつつ、該原水と共に下流側流路に流出させる混合用アタッチメントであって、
同心状に配置された内側筒体と外側筒体とを有しており、前記内側筒体の内側を原水流路とすると共に、内側筒体と外側筒体との間の中空部を、両端を上流側閉塞部と下流側閉塞部とで覆って前記薬剤収容室とし、
前記上流側流路から前記薬剤収容室への流入路を前記上流側閉塞部に、前記薬剤収容室から前記下流側流路への流出路を前記下流側閉塞部に各々形成し、
前記内側筒体に対する前記外側筒体の回転操作によって、前記流入路及び前記流出路の開閉を行う混合用アタッチメント。
【請求項２】
前記上流側閉塞部及び前記下流側閉塞部が、外側閉塞部と内側閉塞部の少なくとも一方を回転スライド可能に重ね合わせた構造を備えており、前記内側筒体に対する前記外側筒体の回転操作によって、外側閉塞部と内側閉塞部の少なくとも一方を回転させることにより、外側閉塞部に形成された外側流入口或いは外側流出口と、内側閉塞部に形成された内側流入口或いは内側流出口とが連通する状態又は連通しない状態を切り替えて、前記流入路及び前記流出路の開閉を行う請求項１記載の混合用アタッチメント。
【請求項３】
前記内側筒体には、周面が前記上流側閉塞部及び前記下流側閉塞部によって覆われる部分に上流側連通孔及び下流側連通孔が各々形成されていると共に、前記流入路及び前記流出路は、その流入口及び流出口が、前記内側筒体の外周面を覆う面に開口しており、前記内側筒体に対する前記外側筒体の回転操作によって、前記内側筒体と前記上流側閉塞部及び前記下流側閉塞部とを相対的に回転させることにより、前記上流側連通孔及び前記下流側連通孔と前記流入口及び前記流出口とが合致する状態又は合致しない状態を切り替えて、前記流入路及び前記流出路の開閉を行う請求項１記載の混合用アタッチメント。
【請求項４】
薬剤散布器具に取り付けて使用される請求項１〜３のいずれかに記載の混合用アタッチメント。
【請求項５】
請求項１〜４のいずれかに記載の混合用アタッチメントを一体として取り付けた薬剤散布器具。
【発明の詳細な説明】
【技術分野】
【０００１】
本発明は、混合用薬剤を原水に混合しつつ、該原水と共に流出させる混合用アタッチメント、及び該混合用アタッチメントを一体として取り付けた薬剤散布器具に関する。
【背景技術】
【０００２】
例えばシャワー器具等の散布器具において、ホース等の管路を経て供給される原水に入浴剤等の薬剤を混合用薬剤として添加混合し、これらの混合用薬剤とともに原水を散布器具から散布できるようにしたアタッチメントが開示されている（例えば、特許文献１、特許文献２参照）。
【０００３】
特許文献１に記載のアタッチメントは、図９に示すように、外部容器５０の内部に薬剤収容室としての内部容器５１が設けられた２重構造を備え、ホース等の管路や、各種の散布器具に取り付けて使用されるものである。そして、内部容器５１には混合用薬剤が収容され、内部容器５１の流入口５２に設けられたバルブ５３を開いて原水を内部に流入させて、混合用薬剤を溶解又は希釈しつつ常時開放の流出口５４を介して流出させて、原水流路５５を通過する原水に合流させることにより、混合用薬剤が添加混合された状態で原水を散布器具から散布できるようにするものである。
【０００４】
一方、特許文献２に記載のアタッチメントは、図１０に示すように、内側筒体５６と外側筒体５７とからなる２重構造を備えており、内側筒体５６の内側を原水の主通水路とすると共に、内側筒体５６と外側筒体５７との間を副通水路（薬剤収容室）として、内部に水によって溶出する固形化された化粧剤を封入してなるものである。そして、薬剤収容室への原水の流入口に設けられた円板状配水板５８に対して、これの上流側に重ねて配置された円板状制御板５９を、つまみ６０を介して相対的にスライド回転させることにより、通水孔６１を開閉操作することができるようになっている。
【特許文献１】特開平８−１８７４５４号公報
【特許文献２】実開平６−８１３８９号公報
【発明の開示】
【発明が解決しようとする課題】
【０００５】
しかしながら、上記従来の混合用アタッチメントによれば、原水のみを使用する場合と、混合用薬剤を添加混合しつつ原水を使用する場合との切替えは、流入口に設けられたバルブや円板状制御板を操作して、薬剤収容室への原水の流入を制御することのみによって行われるものであり、薬剤収容室から原水流路への流出口については、開閉操作が行われることなく常時開放された状態となっているため、例えば流入口を閉塞して混合用薬剤を混入させることなく原水だけを使用したい場合でも、流出口を介して混合用薬剤が薬剤収容室から漏れ出ることになって、原水のみの使用が困難になると共に、収容された混合用薬剤が浪費される。
【０００６】
また、流入口に設けられたバルブや円板状制御板による開閉機構と同様のものを、流出口にも設けて、混合用薬剤が薬剤収容室から漏れ出ないようにすることも考えられるが、流入口の開閉操作に加えて、流出口の開閉操作をも行う必要を生じて切替え操作に手間がかかると共に、特に流入口と流出口の開閉を同時に行って、原水に混合用薬剤が混入した状態と原水に混合用薬剤が混入しない状態とをスムーズかつ即時に切替えてゆくことが困難になる。
【０００７】
本発明は、薬剤収容室への流入路と薬剤収容室からの流出路の開閉を、簡単な操作によって同時に行うことを可能にして、原水に混合用薬剤が混入した状態と原水に混合用薬剤が混入しない状態とをスムーズかつ即時に切替えてゆくことのできる混合用アタッチメント、及び該混合用アタッチメントを取り付けた薬剤散布器具を提供することを目的とする。
【課題を解決するための手段】
【０００８】
本発明は、上流側流路と下流側流路との間に介在して設けられ、薬剤収容室に収容された混合用薬剤を上流側流路から流入した原水に混合しつつ、該原水と共に下流側流路に流出させる混合用アタッチメントであって、同心状に配置された内側筒体と外側筒体とを有しており、前記内側筒体の内側を原水流路とすると共に、内側筒体と外側筒体との間の中空部を、両端を上流側閉塞部と下流側閉塞部とで覆って前記薬剤収容室とし、前記上流側流路から前記薬剤収容室への流入路を前記上流側閉塞部に、前記薬剤収容室から前記下流側流路への流出路を前記下流側閉塞部に各々形成し、前記内側筒体に対する前記外側筒体の回転操作によって、前記流入路及び前記流出路の開閉を行う混合用アタッチメント、及び該混合用アタッチメントを一体として取り付けた薬剤散布器具を提供することにより、上記目的を達成したものである。
【発明の効果】
【０００９】
本発明の混合用アタッチメント及び該混合用アタッチメントを一体として取り付けた薬剤散布器具によれば、原水のみの使用時に混合用薬剤が薬剤収容室から漏れ出ることがなく、薬剤収容室への流入路と薬剤収容室からの流出路の開閉を、簡単な操作によって同時に行うことを可能にして、原水に混合用薬剤が混入した状態と原水が混合用薬剤に混入しない状態とをスムーズかつ即時に切替えてゆくことができる。
【発明を実施するための最良の形態】
【００１０】
本発明の好ましい第１実施形態に係る混合用アタッチメント１０は、図１に示すように、例えば、散布器具であるシャワー器具１１と、シャワー水供給ホース１２との間に介在して取り付けられ、原水であるシャワー水に浴用薬剤、洗浄用薬剤、香料薬剤、スキンケア用薬剤等の薬剤を添加混合しつつ下流側のシャワー器具１１に向けて流下させて、これらの薬剤が混合されたシャワー水によってシャワーを行うことを可能にすることにより、シャワー器具１１を薬剤散布器具としても用いることができるように採用されたものである。
【００１１】
本第１実施形態の混合用アタッチメント１０は、図２（ａ）及び（ｂ）に示すように、シャワー水供給ホース１２内の上流側流路１３とシャワー器具１１内の下流側流路１４との間に介在して設けられ、薬剤収容室１５に液状、ゲル状、粒状等の状態で収容された薬剤を上流側流路１３から流入した原水に混合させて、当該薬剤を希釈又は溶解させた混合液を原水と共に下流側流路１４に流出させるアタッチメントであって、同心状に配置された内側円筒体１９と外側円筒体２０とを有し、内側円筒体１９の内側を原水流路２１とすると共に、内側円筒体１９と外側円筒体２０との間の環状断面を有する中空部を、両端を上流側閉塞部２２と下流側閉塞部２３とで覆って薬剤収容室１５とし、上流側流路１２から薬剤収容室１５への流入路１６を上流側閉塞部２２に、薬剤収容室１５から下流側流路１４への流出路１７を下流側閉塞部２３に各々形成し、内側円筒体１９に対する外側円筒体２０の回転操作によって、流入路１６及び流出路１７の開閉を行うようにしたものである。
【００１２】
また、本第１実施形態の混合用アタッチメント１０によれば、上流側閉塞部２２及び下流側閉塞部２３は、外側閉塞部２２ａ，２３ａと内側閉塞部２２ｂ，２３ｂとを回転可能に重ね合わせた構造を備えている。そして、内側円筒体１９に対する外側円筒体２０の回転操作によって、２重構造を構成する上流側内側閉塞部２２ｂを回転させると共に、２重構造を構成する下流側内側閉塞部２３ｂを回転させることにより、上流側外側閉塞部２２ａに形成された外側流入路１６ａと、上流側内側閉塞部２２ｂに形成された内側流入路１６ｂとが連通する状態又は連通しない状態を切り替え、且つ下流側外側閉塞部２３ａに形成された外側流出路１７ａと、下流側内側閉塞部２３ｂに形成された内側流出路１７ｂとが連通する状態又は連通しない状態を切り替えて、流入路１６及び流出路１７の開閉を同時に行い、これによって薬剤収容室１５に収容された混合用薬剤の不要な流出を防ぐことができるようになっている。
【００１３】
本第１実施形態によれば、混合用アタッチメント１０は、公知の各種のプラスチック成形加工方法によって形成された合成樹脂製の略円柱形状の装置であって、上端部にはシャワー器具１１が螺合装着される装着穴２４が、周壁３３により囲まれて形成されている。またアタッチメント１０の下端部には、シャワー水供給ホース１２が装着される装着突起２５が、張出し基端部３０から下方に突出して設けられている。そして、装着穴２４との装着突起２５との間を貫通するようにして、混合用アタッチメント１０を縦断する原水流路２１が、円形断面の混合用アタッチメント１０の中央部分に位置して内側円筒体１９の内側に形成されている。
【００１４】
また、透明な合成樹脂製の部材である外側円筒体２０と、その上下の端部から径方向内方に突出して一体として設けられた上流側内側閉塞部２２ｂ及び下流側内側閉塞部２３ｂと、内側円筒体１９の外周面とで囲まれた空間が円環状断面の薬剤収容室１５を形成している。また外側円筒体２０には、これの上端部分に空気孔２６が形成されていると共に、下端部分に水抜き注入孔２７（水抜き及び薬剤の注入を行うための孔）が空気孔２６の垂直下方に位置して設けられている。さらに外側円筒体２０の外側を覆うようにして、透明な円筒状のカバー体２８が装着されており、このカバー体２８は、外側円筒体２０に対して上下に移動可能で、且つ外側円筒体２０と係止一体化されて外側円筒体２０と共に上流側外側閉塞部２２ａ及び下流側外側閉塞部２３ａに対して回転可能に設けられている。
【００１５】
さらに、本第１実施形態によれば、上流側内側閉塞部２２ｂと共に上流側閉塞部２２を構成する上流側外側閉塞部２２ａは、張出し基端部３０を挟んで装着突起２５と一体成形され、内側円筒体１９の外周面を覆うようにして装着固定されると共に、上流側内側閉塞部２２ｂの外側から内側円筒体１９と外側円筒体２０との間の間隔を塞ぐように取り付けられる部分である。また下流側内側閉塞部２３ｂと共に下流側閉塞部２３を構成する下流側外側閉塞部２３ａは、内側円筒体１９の上端から径方向外方に延設されるようにして内側円筒体１９と一体成形され、下流側内側閉塞部２３ｂの外側から内側円筒体１９と外側円筒体２０との間の間隔を塞ぐように設けられる部分である。なお、本第１実施形態によれば、外側閉塞部２２ａ，２３ａと内側閉塞２２ｂ，２３ｂとの接合箇所やその他の部材同士の接合箇所には、必要に応じて適宜Ｏリング等が設けられ、これらの接合箇所の止水性を向上させている。
【００１６】
本第１実施形態によれば、外側円筒体２０の外側に装着されたカバー体２８の操作によって、スライド係止機構を介して薬剤収容室１５に収容された混合用薬剤の流入路１６及び流出路１７の開閉や、薬剤収容室１５からの水抜き及び薬剤収容室１５への混合用薬剤の注入が可能な状態への切替えを、容易に行うことができるようになっている。すなわち、図３に示すように、円筒状のカバー体２８の上半部分には、当該カバー体２８の回転を容易に行わせるための滑り止め用凸状３７が複数設けられており、またカバー体２８の下端縁部には、スライド係止機構として切り欠き凹部２９が設けられ、この切り欠き凹部２９は、装着突起２５の張出し基端部３０から上方に突出して設けられた基端係止突起３１と係止されるようになっている。また、カバー体２８の上端には、カバー体突起３２が上方に突出して設けられ、このカバー体突起３２は、装着穴２４の周壁３３の下端縁に沿って周方向に延設形成された切欠き凹溝３４にスライド可能に遊嵌係止されるようになっている。さらに、カバー体２８には、その上端部にカバー体空気孔３５が、その下端部にカバー体水抜き注入孔３６が各々開口形成されており（図２（ａ）参照）、これらのカバー体空気孔３５及びカバー体水抜き注入孔３６は、外側円筒体２０の空気孔２６及び水抜き注入孔２７と同時に合致できるように、これらの間隔と等しい間隔で、且つカバー体水抜き注入孔３６をカバー体空気孔３５の垂直下方に位置させた状態で設けられている。
【００１７】
そして、カバー体２８を外側円筒体２０に対して下方にスライド移動させて切り欠き凹部２９を基端係止突起３１に係止させれば、空気孔２６とカバー体空気孔３５、及び水抜き注入孔２７とカバー体水抜き注入孔３６とが同時に合致することになると共に（図５（ａ），（ｂ）参照）、上流側外側閉塞部２２ａに形成された外側流入口１６ａと上流側内側閉塞部２２ｂに形成された内側流入口１６ｂ、及び下流側外側閉塞部２３ａに形成された外側流出口１７ａと、下流側内側閉塞部２３ｂに形成された内側流出口１７ｂが連通しない状態となる。この状態（図３参照）から、カバー体２８を外側円筒体２０に対して上方にスライド移動させれば、切り欠き凹部２９の基端係止突起３１への係止状態が開放されると共に、カバー体２８の上端のカバー体突起３２が切欠き凹溝３４の左端に配置され、またカバー体２８の内側面に形成された一体化係止溝３８が、外側円筒体２０の外周面に形成された一体化係止凸条３９に係止されて、カバー対２８と外側円筒体２０とが一体として回転できる状態となる。なお、カバー体２８を外側円筒体２０に対して上方にスライド移動させることにより、合致していた空気孔２６とカバー体空気孔３５、及び水抜き注入孔２７とカバー体水抜き注入孔３６が上下にずれてこれらが閉塞されることになる（図２（ａ）参照）。
【００１８】
カバー体２８を上方にスライド移動させてカバー体２８と外側円筒体２０とが一体として回転可能な状態から、さらに、カバー体突起３２を切欠き凹溝３４に沿って右側に回転移動させつつ、カバー体突起３２が切欠き凹溝３４の右端に当接するまでこれらを回転させれば、内側閉塞部２２ｂ，２３ｂが回転して、上流側外側閉塞部２２ａに形成された外側流入路１６ａと上流側内側閉塞部２２ｂに形成された内側流入路１６ｂ、及び下流側外側閉塞部２３ａに形成された外側流出路１７ａと下流側内側閉塞部２３ｂに形成された内側流出路１７ｂとが連通した状態となり（図２（ｂ）参照）、流入路１６及び流出路１７が同時に通水可能となり、薬剤収容室１５に原水を流入させると共に混合用薬剤を流出させることができる。
【００１９】
一方、混合用薬剤の流出が可能となった状態から、カバー体２８と外側円筒体２０とを一体として逆方向（上記連通した状態とするカバー体２８の回転とは逆の方向）に回転させれば、流入路１６及び流出路１７が同時に閉塞して、混合用薬剤の流出及び原水の薬剤収容室１５への流入が遮断された状態に容易に復帰することになる。さらにカバー体２８を外側筒体２０に対して下方にスライド移動させれば、空気孔２６とカバー体空気孔３５、及び水抜き注入孔２７とカバー体水抜き注入孔３６が合致した状態に再び復帰することになり、薬剤収納室１５に残存する流体を排出することが可能になる。
【００２０】
なお、本第１実施形態によれば、薬剤収容室１５の上流側端部における流入路１６の出口と接続して、流出路１７に向かう螺旋流を薬剤収容室１５内に生じさせる螺旋流発生手段１８が設けられている。すなわち、本第１実施形態によれば、螺旋流発生手段１８は、例えば図４にも示すように、内側流入路１６ｂと連通して上流側内側閉塞部２２ｂの上方に突出して設けられると共に、円環状断面を有する薬剤収容室１５の下端部分に周方向に１８０度の間隔をおいて配置された、放流口４１を有する上端が閉塞された一対の中空円筒突起４０からなるものである。またこれらの中空円筒突起４０は、放流口４１を、各々円環状断面の薬剤収容室１５の周方向に沿った同じ回転方向に向けて横向きに開口させていることより、流入路１６から流入する原水を円環状断面の周方向に向けて放流口４１から放流させ、これによって薬剤収容室１５内に、流出路１７に向かう螺旋流を発生させるようになっている。
【００２１】
そして、本第１実施形態の混合用アタッチメント１０によれば、薬剤収容室１５への流入路１６と薬剤収容室１５からの流出路１７の開閉を、上述のスライド係止機構を介した内側円筒体１９に対する外側円筒体２０の回転による簡単な操作によって同時に行うことを可能にして、原水に混合用薬剤を混入させる状態と原水に混合用薬剤を混入させない状態とをスムーズかつ即時に切替えてゆくことができる。
【００２２】
すなわち、図２（ａ）に示す流入路１６及び流出路１７が閉塞していて、上流側流路１３から下流側流路１４に向かう原水が原水流路２１のみを通過している状態から、カバー体２８と共に外側円筒体２０を回転させれば、外側流入路１６ａと内側流入路１６ｂ、及び外側流出路１７ａと内側流出路１７ｂとが同時に連通することになり（図２（ｂ）参照）、これによって薬剤収容室１５に原水をスムーズに引き込むことが可能になると共に、引き込んだ原水に混合用薬剤を混合させて、この混合液を流出路１７を介して原水流路２１を通過する原水と共に下流側流路１４に容易かつ
スムーズに流出させることが可能になる。
【００２３】
なお、本第１実施形態の混合用アタッチメント１０によれば、原水流路２１と接続する外側流入路１６ａと外側流出路１７ａが、原水流路２１に対して流下方向に斜めに延設されているので、原水流路２１から原水をさらにスムーズに取り込むことが可能になり、また薬剤収容室１５内で原水により混合用薬剤が希釈（溶解）されることによって得られた混合液を、原水流路２１を通過する原水にさらにスムーズに混合できる。
【００２４】
また、本第１実施形態の混合用アタッチメント１０によれば、薬剤収容室１５内に混合用薬剤を補充する作業を容易に行うことができる。すなわち、本実施形態によれば、流入路１６及び流出路１７を薬剤収容室１５と連通した態として、混合用薬剤を原水に混合しつつ所定時間シャワーを行うと、薬剤収容室１５内の混合用薬剤が略完全に希釈（溶解）されて無くなり、原水のみが薬剤収容室１５内に存在する状態となる。混合用薬剤が無くなったら、カバー体２８と共に外側円筒体２０を逆方向に回転させて、流入路１６及び流出路１７を閉塞状態とすると共に、カバー体２８を外側円筒体２０に対して下方にスライド移動させれば、図５（ａ）に示すように、空気孔２６とカバー体空気孔３５、及び水抜き注入孔２７とカバー体水抜き注入孔３６とが合致した状態となり、合致した空気孔２６，３５から空気を供給しつつ、合致した水抜き注入孔２７，３６から薬剤収容室１５内の原水をその自重によって速やかに排除することが可能になる。
【００２５】
そして、薬剤収容室１５の内部が空になったら、図５（ｂ）に示すように、混合用薬剤が例えば液状のものである場合には、合致した水抜き注入孔２７，３６に薬剤補充容器のノズル部４４を挿入し、合致した空気孔２６，３５から空気を排除しつつ下方から混合用薬剤を充填してゆくことにより、混合用薬剤が薬剤収容室１５に迅速かつ容易に補充されることになる。薬剤収容室１５に混合用薬剤が補充されたら、カバー体２８を外側円筒体２０に対して上方にスライド移動させて空気孔２６，３５及び水抜き注入孔２７，３６を閉塞しさらにカバー体２８を回転させれば、混合用薬剤を原水に混合可能な状態に速やかに復帰することになる。
【００２６】
図６（ａ）〜（ｃ）は、本発明の第２実施形態に係る混合用アタッチメント４５を示すものである。本第２実施形態の混合用アタッチメント４５は、上記第１実施形態の混合用アタッチメントと同様の内部構成を備える一方で、そのスライド係止機構が上記第１実施形態のスライド係止機構とは異る構成を備えている。すなわち、本第２実施形態によれば、スライド係止機構は、外側円筒体４６の外側に回転スライド可能に装着されたカバー体４７の上端縁部に、周方向に延設された切り欠き案内溝４８を設け、この切り欠き案内溝４８に、外側円筒体４６の上端部外周面から径方向外方に突出する係止突起４９をスライド可能に遊嵌係止することによって構成されている。
【００２７】
そして、係止突起４９を切り欠き案内溝４８の回転方向Ｘにおける先端側端部（図６（ａ）のＡ−Ａ断面図では右側端部）に当接させて、空気孔２６とカバー体空気孔３５、及び水抜き注入孔２７とカバー体水抜き注入孔３６とを合致させている状態（図６（ａ）参照）から、カバー体４７を外側円筒体４６に対して回転方向Ｘに回転させ、係止突起４９を切り欠き案内溝４８の回転方向Ｘにおける後端側端部に当接させれば（図６（ｂ）参照）、カバー体４７と共に外側円筒体４６を一体として回転方向Ｘに回転させることができる状態になると共に、空気孔２６とカバー体空気孔３５、及び水抜き注入孔２７とカバー体水抜き注入孔３６とが互いにずれて、これらが閉塞することになる。さらに、カバー体４７と共に外側円筒体４６を一体として回転方向Ｘに回転させることにより、内側閉塞部２２ｂ，２３ｂが回転して、上流側外側閉塞部２２ａに形成された外側流入路１６ａと上流側内側閉塞部２２ｂに形成された内側流入路１６ｂ、及び下流側外側閉塞部２３ａに形成された外側流出路１７ａと下流側内側閉塞部２３ｂに形成された内側流出路１７ｂとが同時に連通した状態となり、これによって薬剤収容室１５に原水を流入させて混合用薬剤を流出させることが可能になる。
【００２８】
したがって、本第２実施形態の混合用アタッチメント４５によれば、カバー体４７による回転操作のみによって、薬剤収容室１５に収容された混合用薬剤の流入路１６及び流出路１７の開閉や、薬剤収容室１５からの水抜き及び混合用薬剤の注入が可能な状態への切替えを容易に行うことが可能になると共に、上記第１実施形態の混合用アタッチメント１０と同様の作用効果を奏することになる。
【００２９】
図７（ａ）及び（ｂ）は、本発明の第３実施形態に係る混合用アタッチメント８０を示すものである。本第３実施形態の混合用アタッチメント８０は、上記第１実施形態の混合用アタッチメント１０と略同様の構成を備える一方で、内側円筒体１９に対する外側円筒体２０の回転操作によって上流側閉塞部８１に形成された流入路８３及び下流側閉塞部８２に形成された流出路８４の開閉を行う機構が、上記第１実施形態の開閉機構と相違している。
【００３０】
すなわち、本第３実施形態によれば、内側円筒体１９には、周面が上流側閉塞部８１及び下流側閉塞部８２によって覆われる部分に、上流側連通孔８５及び下流側連通孔８６が、当該内側円筒体１９の周壁を横方向に貫通するようにして各々形成されている。また、上流側閉塞部８１及び下流側閉塞部８２の内部に各々形成された流入路８３及び流出路８４は、円環状部分である当該上流側閉塞部８１及び下流側閉塞部８２の周方向に沿って、これらの中央部分を同心状かつ円環状に貫通するようにして各々設けられている。
【００３１】
さらに、本実施形態によれば、上流側閉塞部８１の内部に形成された流入路８３は、周方向の特定の位置において、内側円筒体１９の外周面を覆う部分の上流側閉塞部８１を貫通して形成された流入口８７（図７（ｂ）参照）を有していると共に、流入路８３の天面壁を貫通して周方向に複数箇所形成された収容室側連通孔８８を有しており、これらの収容室側連通孔８８を介して、流入路８３から薬剤収容室１５に原水を供給することができるようになっている。また下流側閉塞部８２の内部に形成された流出路８４は、内側円筒体１９の外周面を覆う部分の下流側閉塞部８２を貫通して形成された流出口８９（図７（ｂ）参照）を有していると共に、流出路８４の下面壁を貫通して周方向に複数箇所形成された収容室側連通孔９０を有しており、これらの収容室側連通孔９０を介して、混合用薬剤を混入した原水を薬剤収容室１５から流出路８４に排出することができるようになっている。
【００３２】
そして、本第３実施形態の混合用アタッチメント８０によれば、上記第１実施形態の混合用アタッチメント１０と同様の、内側円筒体１９に対する、上流側閉塞部８１及び下流側閉塞部８２に係止一体化された外側円筒体２０の回転操作によって、図７（ａ）に示すような、上流側連通孔８５及び下流側連通孔８６と、流入路８３の流入口８７及び流出路８４の流出口８９とが互いにずれた状態と、図７（ｂ）に示すような、上流側連通孔８５及び下流側連通孔８６と、流入路８３の流入口８７及び流出路８４の流出口８９とが同時に合致する状態とを切り替えて、流入路８３及び流出路８４の開閉操作を容易に行うことが可能になり、これによって、上記第１実施形態の混合用アタッチメント１０と同様の作用効果を奏することになる。
【００３３】
また、本第３実施形態の混合用アタッチメント８０によれば、内側円筒体１９に設けられた上流側連通孔８５及び下流側連通孔８６の開口部に近接して、薬剤収容室１５のシール状態を保持したままこれらをスムーズに回転させるために介在させるＯ−リング９１が設置されている。Ｏ−リング９１を内側円筒体１９に設置することによって、回転軸に対する摺動部分の回転半径を小さくしている。回転半径を小さくすることによって回転トルクを小さくすることができる。また小さい径のＯ−リング９１を用いることができるようになり、これらによって、例えば混合用薬剤との接触によるＯ−リング９１の膨張や変形を効果的に抑制することが可能になって、内側円筒体１９に対する外側円筒体２０のスムーズな回転操作を長期間に亘って容易に保持することが可能になる。
【００３４】
なお、本発明は上記各実施形態に限定されることなく種々の変更が可能である。例えば、本発明の混合用アタッチメントは、シャワー水に浴用薬剤やスキンケア用薬剤等の身体用薬剤を混合して送り出すものに限定されることなく、シャワー器具以外のその他の薬剤散布器具に取り付けて、各種の液状、ゲル状、粒状、固形状等の家庭用消費薬剤や農業用薬剤等の薬剤を原水に混合するために採用することもできる。また、薬剤収容室の内部に螺旋流を生じさせる螺旋流発生手段は設けても設けなくても良く、内側筒体に対して外側筒体を回転操作して流入路及び流出路を開閉する機構は、上述の開閉機構に限定されるものではない。
【００３５】
そして、本発明によれば、例えば上述の構成を有する混合用アタッチメント１０，４５，８０を、シャワー器具とシャワー水供給ホースとの間に介在させて使用する以外に、図８に示すように、これらの混合用アタッチメント１０，４５，８０をシャワー器具７０に一体として取り付けて、混合用薬剤がシャワー水と共に流出する状態と、シャワー水のみが流出する状態とを切り替えることができる機能を備えるシャワー器具７０として用いることもできる。すなわち、混合用アタッチメント１０，４５，８０は、公知の各種の取付け手段を介して、例えば脱塩素フィルターを備える浄水部７１と共に、薬剤散布器具としてのシャワー器具７０に一体として取り付けて用いることができる。また、混合用アタッチメント１０，４５，８０は、シャワー器具７０の外部から見えないように当該シャワー器具７０に内蔵させて取り付けることもできる。
【図面の簡単な説明】
【００３６】
【図１】本発明に係る混合用アタッチメントをシャワー器具に取り付けて使用する状況を説明する側面図である。
【図２】（ａ）及び（ｂ）は、本発明の第１実施形態に係る混合用アタッチメントにより混合用薬剤を原水に混合する状況を説明する断面図である。
【図３】本発明の第１実施形態に係る混合用アタッチメントにおけるスライド係止機構を説明する正面図ある。
【図４】本発明の第１実施形態に係る混合用アタッチメントに設けられた螺旋流発生手段を説明する略示斜視図である。
【図５】（ａ）及び（ｂ）は、本発明の第１実施形態に係る混合用アタッチメントに混合用薬剤を補充する状況を説明する断面図である。
【図６】（ａ）〜（ｃ）は、本発明の第２実施形態に係る混合用アタッチメントにおけるスライド係止機構を説明する正面図、及び各正面図のＡ−Ａに沿った断面図である。
【図７】（ａ）及び（ｂ）は、本発明の第３実施形態に係る混合用アタッチメントにより混合用薬剤を原水に混合する状況を説明する断面図である。
【図８】本発明に係る混合用アタッチメントを一体として取り付けたシャワー器具を例示する断面図である。
【図９】従来の混合用アタッチメントの一例を説明する部分破断側面図である。
【図１０】従来の混合用アタッチメントの他の一例を説明する断面図である。
【符号の説明】
【００３７】
１０，４５，８０  混合用アタッチメント
１１，７０  シャワー器具
１２  シャワー水供給ホース
１３  上流側流路
１４  下流側流路
１５  薬剤収容室
１６，８３  流入路
１６ａ  外側流入路
１６ｂ  内側流入路
１７，８４  流出路
１７ａ  外側流出路
１７ｂ  内側流出路
１９  内側円筒体（内側筒体）
２０，４６  外側円筒体（外側筒体）
２１  原水流路
２２，８１  上流側閉塞部
２２ａ  上流側外側閉塞部
２２ｂ  上流側内側閉塞部
２３，８２  下流側閉塞部
２３ａ  下流側外側閉塞部
２３ｂ  下流側内側閉塞部
２６  空気孔
２７  水抜き注入孔
２８，４７  カバー体
３５  カバー体空気孔
３６  カバー体水抜き注入孔
８５  上流側連通孔
８６  下流側連通孔
８７  流入口
８８，９０  収容室側連通孔
８９  流出口
９１  Ｏ−リング
【図１】
2005152055.tif 000003
【図２】
2005152055.tif 000004
【図３】
2005152055.tif 000005
【図４】
2005152055.tif 000006
【図５】
2005152055.tif 000007
【図６】
2005152055.tif 000008
【図７】
2005152055.tif 000009
【図８】
2005152055.tif 000010
【図９】
2005152055.tif 000011
【図１０】
2005152055.tif 000012